(57)【要約】【課題】軒樋の上側にカバーが配置される場合において、雨水が軒樋に入らずに軒側に飛び出すことを抑制できる雨水飛出し抑制部材を提供することである。【解決手段】雨水飛出し抑制部材２０は、軒樋継手によって第１樋要素及び第２樋要素を長手方向に接続して形成された軒樋の上側に分かれて配置された第１カバー及び第２カバーの間であって、軒樋継手の上方の位置に取り付けられる。雨水飛出し抑制部材は、軒樋長手方向における中間部に位置し、屋根から上面に流れ込んだ雨水を軒側に流す本体部と、本体部の第１カバー側で第１カバーの端部に係合して支持される第１係合部と、本体部の第２カバー側で第２カバー側の端部に係合して支持される第２係合部とを含む。雨水飛出し抑制部材の軒端長手方向における中間部の軒端に、本体部の上面を屋根側から軒側に流れた雨水を、軒樋内に案内する凹部４０が形成されている。【選択図】図１
2019206826.tif 000002
【特許請求の範囲】
【請求項１】
軒樋継手によって第１樋要素及び第２樋要素を長手方向に接続して形成された軒樋の上側に、長手方向に分かれて配置された第１カバー及び第２カバーの間であって、前記軒樋継手の上方の位置に取り付けられ、屋根から流れてくる雨水の前記軒樋継手より軒側への飛出しを抑制する雨水飛出し抑制部材であって、
軒樋長手方向における中間部に位置し、前記屋根から上面に流れ込んだ雨水を軒側に流す本体部と、
前記本体部に対し前記第１カバー側に形成され、前記第１カバーの端部に係合して支持される第１係合部と、
前記本体部に対し前記第２カバー側に形成され、前記第２カバーの端部に係合して支持される第２係合部と、を備え、
前記軒樋長手方向における中間部の軒端に、前記本体部の上面を屋根側から軒側に流れた雨水を、前記軒樋内に案内する凹部が形成されている、
雨水飛出し抑制部材。
【請求項２】
請求項１に記載の雨水飛出し抑制部材において、
前記第１係合部の軒側端部と棟側端部とは、前記第１カバーの端部の上側に係合され、
前記第２係合部の軒側端部と棟側端部とは、前記第２カバーの端部の上側に係合されている、
雨水飛出し抑制部材。
【請求項３】
屋根の軒樋の上側に配置された第１カバー及び第２カバーと、
前記第１カバー及び前記第２カバーの間に取り付けられた雨水飛出し抑制部材と、を備え、
前記雨水飛出し抑制部材が、請求項１または請求項２に記載の雨水飛出し抑制部材である、
軒樋カバー構造。
【発明の詳細な説明】
【技術分野】
【０００１】
本開示は、屋根の軒樋の上側に配置された第１及び第２カバーの間に取り付けられる雨水飛出し抑制部材及び軒樋カバー構造に関し、特に雨水が軒樋に入らずに軒側に飛び出すことの抑制に関する。
【背景技術】
【０００２】
従来、一般的に、屋根の軒先の下側には軒先構造体として鼻隠し板が設けられ、鼻隠し板には屋根から流れてくる雨水を受ける軒樋が取り付けられる。特許文献１には、軒樋の上側に、屋根との一体感を出すための化粧カバーを取り付けることが記載されている。
【先行技術文献】
【特許文献】
【０００３】
【特許文献１】特開２０００−３２００９１号公報
【発明の概要】
【発明が解決しようとする課題】
【０００４】
ところで、軒樋内に雪や落ち葉等の異物が入ってその異物が堆積することを抑制するために、軒樋の上側にカバーを配置することが考えられる。一方、軒樋は長いため、複数の軒樋要素を長手方向に接続して形成し、隣り合う軒樋要素を軒樋継手で接続している。軒樋継手は、軒樋要素の長手方向端部の上側で軒樋の上端開口に突き出るように配置される場合がある。この場合に、軒樋長手方向について、軒樋継手とカバーとが一致する位置では、屋根からカバーの上面に流れ込んだ雨水が軒樋継手で邪魔されて軒樋に入らずに軒側に飛び出しやすくなる。
【０００５】
本開示の目的は、軒樋の上側にカバーが配置される場合において、雨水が軒樋に入らずに軒側に飛び出すことを抑制できる雨水飛出し抑制部材及び軒樋カバー構造を提供することである。
【課題を解決するための手段】
【０００６】
本開示の一態様の雨水飛出し抑制部材は、軒樋継手によって第１樋要素及び第２樋要素を長手方向に接続して形成された軒樋の上側に、長手方向に分かれて配置された第１カバー及び第２カバーの間であって、軒樋継手の上方の位置に取り付けられ、屋根から流れてくる雨水の軒樋継手より軒側への飛出しを抑制する雨水飛出し抑制部材であって、軒樋長手方向における中間部に位置し、屋根から上面に流れ込んだ雨水を軒側に流す本体部と、本体部に対し第１カバー側に形成され、第１カバーの端部に係合して支持される第１係合部と、本体部に対し第２カバー側に形成され、第２カバーの端部に係合して支持される第２係合部と、を備え、軒樋長手方向における中間部の軒端に、本体部の上面を屋根側から軒側に流れた雨水を、軒樋内に案内する凹部が形成されている、雨水飛出し抑制部材である。
【０００７】
本開示の一態様の軒樋カバー構造は、屋根の軒樋の上側に配置された第１カバー及び第２カバーと、第１カバー及び第２カバーの間に取り付けられた雨水飛出し抑制部材と、を備え、雨水飛出し抑制部材が、本開示の一態様の雨水飛出し抑制部材である、軒樋カバー構造である。
【発明の効果】
【０００８】
本開示の一態様の雨水飛出し抑制部材及び軒樋カバー構造によれば、軒樋の上側にカバーが配置される場合において、雨水が軒樋に入らずに軒側に飛び出すことを抑制できる。
【図面の簡単な説明】
【０００９】
【図１】実施形態の一例の軒樋カバー構造を含む軒先構造の斜視図である。
【図２】図１のＡ−Ａ断面図である。
【図３】図１のＢ−Ｂ断面図である。
【図４】実施形態の一例の雨水飛出し抑制部材の斜視図である。
【図５】図４の雨水飛び出し抑制部材を軒樋長手方向の一方側から見た図である。
【図６】比較例の軒樋カバー構造を含む軒先構造において、図３に対応する図である。
【発明を実施するための形態】
【００１０】
以下、図面を参照しながら、本開示に係る雨水飛出し抑制部材及び軒樋カバー構造の実施形態を説明する。以下で説明する形状、個数、材料等は、説明のための例示であって、雨水飛出し抑制部材を含む軒樋カバー構造の仕様により適宜変更することができる。以下では全ての図面において同等の要素には同一の符号を付して説明する。また、本文中の説明においては、必要に応じてそれ以前に述べた符号を用いる。
【００１１】
図１は実施形態の一例の軒樋カバー構造１０を含む軒先構造５の斜視図である。図２は、図１のＡ−Ａ断面図であり、図３は、図１のＢ−Ｂ断面図である。図１〜図３に示すように、軒先構造５は、軒樋５０と、軒樋カバー構造１０とを含んで構成される。
【００１２】
軒樋５０は、屋根１から落ちてくる雨水を受けるための長尺状の部材である。軒樋５０は、屋根１の下側で建物の外端部に配置された横板である鼻隠し板４に、屋根１の軒端に沿って取り付けられる。軒樋５０には、図示しない集水器、呼び樋等を介して建物に隣接して上下方向に配置された竪樋（図示せず）が接続される。軒樋５０が受けた雨水は、竪樋を介して建物の下側に流される。図１では、軒樋５０の長手方向両端が開口しているように示しているが、軒樋５０の長手方向両端は実際には塞がれる。
【００１３】
屋根１の下地は、垂木等の建築躯体上に野地板２を設けることで形成されている。野地板２は、棟側から軒側に向かって一様な角度で下り傾斜している。野地板２の軒側端部は、外壁（図示せず）よりも外側に張り出し、当該張出部が屋根１の軒を形成する。屋根１は、野地板２と、野地板２の上側に配置された屋根材３とにより構成される。屋根材３は、例えばガルバニウム鋼板ユニット、または複数の瓦である。
【００１４】
軒樋５０は、屋根１の下側に配置された鼻隠し板４に、長手方向（図１の左右方向）の複数位置に配置された複数の軒樋支持具６０（図２）及びネジ（図示せず）で固定されている。例えば、複数の軒樋支持具６０は、軒樋５０の長手方向について後述の軒樋継手５６とは異なる位置で、鼻隠し板４にネジで固定される。図１では、軒樋支持具６０の図示を省略している。
【００１５】
軒樋５０は、長手方向に分かれた第１樋要素５１と第２樋要素５２とが、軒樋継手５６によって長手方向に接続して形成される。
【００１６】
図２に示すように、複数の軒樋支持具６０の、軒側端部である前端部と、棟側端部である後端部とには、第１樋要素５１及び第２樋要素５２が係合されて固定される。軒樋支持具６０の前後方向（図２の左右方向）中間部には、上側に突出した本体板部６１が形成される。本体板部６１の上下方向中間部には、本体板部６１から前側（図２の左側）に分岐されてその前端部で上側に突出する前側板部６２が形成される。本体板部６１の上端部には屋根１の傾斜方向に略一致して後側に延びる後側係止部６１ａが形成される。前側板部６２の上端部には屋根１の傾斜方向に略一致して前側に伸びる前側係止部６２ａが形成される。前側係止部６２ａと後側係止部６１ａとには、後述の第１カバー１１（または第２カバー１２）の内側部分が係止される。鼻隠し板４の外面には、雨水等による劣化を防ぐための板金が取り付けられてもよい。
【００１７】
軒樋５０の第１樋要素５１及び第２樋要素５２のそれぞれは、軒側及び棟側の２つの壁部と、２つの壁部の下端を連結する底板とを含み、断面Ｕ字形で長尺状に形成され、上端が開口している。軒樋継手５６は、第１樋要素５１及び第２樋要素５２の互いに向き合う側の端部を接続する。
【００１８】
具体的には、図３に示すように、軒樋継手５６は、外継手５７及び内継手５８を含んでいる。外継手５７は、軒側及び棟側の２つの外継手壁部と、２つの外継手壁部の下端を連結する外継手底板とが一体化されて構成される。外継手５７は、第１樋要素５１及び第２樋要素５２のそれぞれの向き合う側の端部の外側を覆う。外継手５７の軒側端部である前端部分（図３の左端部分）の上端部には、断面が後側（図３の左側）に開口する略Ｕ字形で長手方向（図３の紙面の表裏方向）に延びる前側突き出し部５７ａが形成される。前側突き出し部５７ａの上端部の後端部には、下側に突出する係止突部５７ｂが形成される。係止突部５７ｂは、後述の内継手５８の前端部の上端部に係止される。
【００１９】
外継手５７の棟側端部である後端部分（図３の右端部分）の上端部には、断面Ｌ字形の係止板部５７ｃが形成される。係止板部５７ｃの前端部（図３の左端部）下面には、後述の内継手５８の後端部の上端が突き当てられる。
【００２０】
内継手５８は、内継手本体５８ａ及び押さえ板部５８ｂを含んでいる。内継手本体５８ａは、軒側及び棟側の２つの内継手壁部と、２つの内継手壁部の下端を連結する内継手底板とが一体化されて構成される。内継手本体５８ａは、第１樋要素５１及び第２樋要素５２のそれぞれの向き合う側の端部の内側を覆う。図３に示すように、内継手本体５８ａの前端部分（図３の左端部分）の上端部には、上側に向かって後側に傾斜した傾斜板部５８ｃと、傾斜板部５８ｃの根元から上側に突出する突板部５８ｄとが形成される。上記の外継手５７の係止突部５７ｂは、この突板部５８ｄと傾斜板部５８ｃとで形成されるＶ字形の溝部５８ｅに係止される。
【００２１】
押さえ板部５８ｂは、内継手本体５８ａの内面の上下方向中間部に、前後方向（図３の左右方向）に延びるように配置され、内継手本体５８ａと一体成形される。
【００２２】
上記の第１樋要素５１及び第２樋要素５２のそれぞれの向き合う側の端部が、外継手５７と内継手５８とで挟まれた状態で、上記の外継手５７の係止突部５７ｂが内継手５８の溝部５８ｅに係止される。これとともに、外継手５７の後端部の上端部に形成された係止板部５７ｃの前端部下面に、内継手５８の後端部の上下方向に延びる板部の上端が突き当てられる。これにより、第１樋要素５１、第２樋要素５２、及び軒樋継手５６が一体化されることで、軒樋５０が形成される。第１樋要素５１、第２樋要素５２、及び軒樋継手５６の各構成要素は、例えば樹脂により形成される。
【００２３】
このような軒樋５０では、上記のように、軒樋継手５６において内継手５８の前端部の上端部に傾斜板部５８ｃが形成されるので、この傾斜板部５８ｃにより、軒樋５０の上端開口の前側が覆われやすくなる。これにより、軒樋５０の上側に雪等の進入を防止するためのカバーを配置した場合には、カバーの上面からカバーの軒端で雨水が流れ落ちた場合に、雨水が軒樋継手５６で邪魔されて軒樋５０に入らずに軒側に飛び出しやすくなる。本実施形態の雨水飛出し抑制部材２０及び軒樋カバー構造１０は、軒樋５０の上側に後述の第１カバー１１及び第２カバー１２が配置される場合において、雨水が軒樋５０に入らずに軒側に飛び出すことを抑制することを目的とする。
【００２４】
軒樋カバー構造１０は、軒樋５０の上側に配置された第１カバー１１及び第２カバー１２と、各カバー１１，１２の間に取り付けられた雨水飛出し抑制部材２０とを含んで構成される。このとき、雨水飛出し抑制部材２０は、各カバー１１，１２の互いに向き合う端部の上側に係合される。
【００２５】
各カバー１１，１２は、長尺の帯板状であり、軒樋５０の上側に、屋根１の傾斜方向と略一致する方向に、上下方向に対し傾斜するように配置される。上記の図２に示したように、各カバー１１，１２は、軒樋支持具６０に形成された前側係止部６２ａと後側係止部６１ａとに係止される。これにより、各カバー１１，１２は、軒樋支持具６０を介して鼻隠し板４に固定される。各カバー１１，１２は、軒樋５０の上端開口の前端部（図１の下端部、図２の左端部）を除く部分を覆って、軒樋５０に雪や落ち葉等の異物を入りにくくすることで、軒樋５０内の異物の堆積を抑制する。各カバー１１，１２は、例えば樹脂により形成される。
【００２６】
本実施形態では、第１カバー１１及び第２カバー１２は、軒樋５０の長手方向（図１の左右方向）に分かれて軒樋５０の上側に配置される。雨水飛出し抑制部材２０は、第１カバー１１及び第２カバー１２の間であって、軒樋継手５６の上方の位置、例えば軒樋継手５６の上側に対向する位置に取り付けられる。雨水飛出し抑制部材２０の軒端には、後述の凹部４０が形成される。これにより、雨水飛出し抑制部材２０は、第１カバー１１及び第２カバー１２を接続するカバー継手としての機能を有する。これとともに、雨水飛出し抑制部材２０は、屋根１から流れてくる雨水を軒樋５０内に案内し、雨水の軒樋継手５６より軒側への飛び出しを抑制する機能も有する。
【００２７】
図４は、実施形態の一例の雨水飛出し抑制部材２０の斜視図である。図５は、図４の雨水飛出し抑制部材２０を軒樋長手方向の一方側から見た図である。
【００２８】
図４〜図５に示すように、雨水飛出し抑制部材２０は、本体部２１、第１係合部２５、及び第２係合部３１を有する。本体部２１は、雨水飛出し抑制部材２０の軒樋長手方向における中間部に位置し、屋根１から上面に流れ込んだ雨水を軒側に流す機能を有する。具体的には、本体部２１は、平板状の板部２２と、板部２２の棟側、軒側のそれぞれの端部にＵ字形またはＣ字形に内側に曲がるように形成された２つの曲面部２３（図３），２４とを含んでおり、全体が断面略Ｃ字形に形成される。板部２２の上面は平面状としているが、上面に流れ込んだ雨水の軒側への流れをさえぎらない壁部や凹部などが形成されていてもよい。
【００２９】
第１係合部２５は、軒樋長手方向における第１端部（図４の右端部）に形成され、第１カバー１１の端部に係合して支持される。これにより、第１係合部２５は、本体部２１に対し第１カバー１１側に形成される。第１係合部２５は、下面が第１カバー１１の対応する長手方向端部の上面と一致する平板状の板部２６と、板部２６の棟側、軒側のそれぞれの端部にＵ字形またはＣ字形に内側に曲がるように形成された２つの曲面部２７，２８とを含んでおり、全体が断面略Ｃ字形に形成される。棟側の曲面部２７は、本体部２１の棟側の曲面部２３（図３）と軒樋長手方向に連続する。軒側の曲面部２８の下端部には、第１カバー１１とは逆方向に先端が向くように曲がった下側延出部２９が形成される。また、第１係合部２５の軒端部において、軒樋長手方向における本体部２１側の端部には、第１壁部２５ａが形成される。第１壁部２５ａの本体部２１側の面には、本体部２１の長手方向端部が隣接する。
【００３０】
第２係合部３１は、軒樋長手方向における第２端部（図４の左端部）に形成され、第２カバー１２の端部に係合して支持される。これにより、第２係合部３１は、本体部２１に対し第２カバー１２側に形成される。第２係合部３１は、下面が第２カバー１２の対応する長手方向端部の上面と一致する平板状の板部３２と、板部３２の棟側、軒側のそれぞれの端部にＵ字形またはＣ字形に内側に曲がるように形成された２つの曲面部３３（図５），３４とを含んでおり、全体が断面略Ｃ字形に形成される。棟側の曲面部３３は、本体部２１の棟側の曲面部２３（図３）と軒樋長手方向に連続する。軒側の曲面部３４の下端部には、第２カバー１２とは逆方向に先端が向くように曲がった下側延出部３５が形成される。また、第２係合部３１の軒端部において、軒樋長手方向における本体部２１側の端部には、第２壁部３１ａが形成される。第２壁部３１ａの本体部２１側の面には、本体部２１の長手方向端部が隣接する。本体部２１、第１係合部２５及び第２係合部３１は、一体成形されてもよい。
【００３１】
さらに、第１係合部２５の板部２６及び第２係合部３１の板部３２は、本体部２１の板部２２の軒樋長手方向両側に接続される。本体部２１の軒側の曲面部２４の最軒端位置Ｐ１（図５）は、各係合部２５,３１の最軒端位置Ｐ２（図５）より、棟側である後側（図５の左側）にある。これにより、雨水飛出し抑制部材２０の軒樋長手方向における中間部の軒端で、本体部２１に対応する位置には、凹部４０が形成される。凹部４０は、本体部２１の曲面部２４の外側面と、第１係合部２５の第１壁部２５ａ及び第２係合部３１の第２壁部３１ａの互いに向き合う側面とにより形成される。凹部４０は、図３の破線矢印で示すように、本体部２１の上面を屋根側（棟側）から軒側に流れた雨水を、軒樋５０内に流下させるように案内する。
【００３２】
雨水飛出し抑制部材２０において、第１係合部２５の軒側端部と棟側端部とは、第１カバー１１の端部上側に係合されて配置される。第１係合部２５の棟側及び軒側の曲面部２７，２８が第１カバー１１の端部に係合することで、第１カバー１１に雨水飛出し抑制部材２０が支持される。
【００３３】
雨水飛出し抑制部材２０において、第２係合部３１の軒側端部と棟側端部とは、第２カバー１２の端部上側に係合されて配置される。第２係合部３１の棟側及び軒側の曲面部３３，３４が第２カバー１２の端部に係合することで、第２カバー１２に雨水飛出し抑制部材２０が支持される。
【００３４】
第１カバー１１及び第２カバー１２の間位置は、軒樋長手方向について軒樋継手５６と同じ位置で、軒樋継手５６の上方にある。これにより、第１カバー１１及び第２カバー１２の間にある雨水飛出し抑制部材２０は、第１カバー１１及び第２カバー１２に対し、軒樋長手方向について軒樋継手５６と同じ位置で、軒樋継手５６の上方の位置に取り付けられる。
【００３５】
図１に示すように、雨水飛出し抑制部材２０が第１カバー１１及び第２カバー１２の間に取り付けられて固定された状態で、図３に示すように、雨水飛出し抑制部材２０の下側延出部３５の下端は、内継手５８の上端部の傾斜板部５８ｃに近接する。これと同様に、雨水飛出し抑制部材２０の下側延出部２９（図４）の下端も、内継手５８の上端部の傾斜板部５８ｃに近接する。
【００３６】
上記の雨水飛出し抑制部材２０は、例えば樹脂の射出成形により一体形成される。なお、雨水飛出し抑制部材２０は、このような構成に限定せず、例えば、本体部２１の軒端に曲面部２４が形成されず、軒側に面する平面部が形成された構成としてもよい。
【００３７】
雨水飛出し抑制部材２０は、上記のように各カバー１１，１２に対し、軒樋５０を形成する軒樋継手５６の上方の位置に取り付けられる。雨水飛出し抑制部材２０は、屋根１から流れてくる雨水を、本体部２１の上面で軒側に流し、この上面を軒側に流れた雨水を、凹部４０内を通じて軒樋５０内に落ちるように案内する。
【００３８】
上記の雨水飛出し抑制部材２０及び軒樋カバー構造１０によれば、図１に示すように、屋根１上から雨水が、軒樋継手５６に対応する位置にある雨水飛出し抑制部材２０の上側に、実線矢印αで示す方向に流れ落ちる場合がある。この場合に、この雨水は、図１の実線矢印βのように、雨水飛出し抑制部材２０の本体部２１の上面を軒側に流れて、凹部４０の内側を通じて軒樋５０内に落ちるように案内される。この凹部４０によって、雨水飛出し抑制部材２０の軒端と、軒樋５０における軒樋継手５６の軒側端部の上端部との間の隙間を大きくできる。このため、軒樋５０の上側に第１カバー１１及び第２カバー１２が配置される場合において、雨水が軒樋５０に入らずに軒側に飛び出すことを抑制できる。また、雨水飛出し抑制部材２０が、第１カバー１１及び第２カバー１２の間で、軒樋５０の上方に配置されることで、軒樋５０内に雪や落ち葉等の異物が入りにくくなる。
【００３９】
図６は、比較例の軒樋カバー構造を含む軒先構造において、図３に対応する図である。比較例の構成では、図３に示した実施形態における雨水飛出し抑制部材２０と同じ位置にカバー継手７０が配置される。カバー継手７０は、軒樋５０の長手方向に分かれた２つのカバー１１，１２（図１参照）の端部を接続する部材である。カバー継手７０は、下面がカバー１１，１２の対応する長手方向端部の上面に一致する平板状の板部７１と、板部７１の棟側、軒側の端部にそれぞれＵ字形またはＣ字形に内側に曲がるように形成された曲面部７２，７３とを含んで、全体が断面略Ｃ字形に形成される。軒側の曲面部７３の下端部には、各カバー１１，１２とは逆方向に先端が向くように曲がった下側延出部７４が形成される。
【００４０】
また、カバー継手７０の長手方向中間部には、図３に示した雨水飛出し抑制部材２０と異なり凹部を有する本体部は形成されておらず、カバー継手７０の端は、長手方向の全長にわたって軒棟方向の同じ位置にある。カバー継手７０において、その他の構成は、雨水飛出し抑制部材２０と同様である。
【００４１】
上記のカバー継手７０が２つのカバー１１，１２の端部の間に取り付けられた状態で、カバー継手７０の軒端に形成された下側延出部７４の下端は、内継手５８の前端部の上端部に近接する。これにより、図６の破線矢印δで示すように、屋根上からカバー継手７０に流れ落ちた雨水は、板部７１に沿って流れた後、内継手５８で邪魔されて軒樋５０に入らずに、外継手５７の前端部の上端部から、軒樋５０より軒側（図６の左側）に飛び出しやすくなってしまう。上記の図１〜図５の実施形態によれば、このような不都合を防止できる。
【００４２】
なお、軒樋及び軒樋継手のそれぞれの形状及び構成は、図１〜図３に示した構成に限定せず、種々の構成を適用できる。例えば、上記の各実施形態において、軒樋継手は、軒樋要素の端部を外継手と内継手で挟む構成に限定しない。例えば、軒樋継手は、軒樋要素の端部の内側のみに配置されて係合支持する内継手のみにより、または軒樋要素の端部の外側のみに配置されて係合支持する外継手のみにより構成してもよい。
【符号の説明】
【００４３】
１  屋根、２  野地板、３  屋根材、４  鼻隠し板、５  軒先構造、１０  軒樋カバー構造、１１  第１カバー、１２  第２カバー、２０  雨水飛出し抑制部材、２１  本体部、２２  板部、２３，２４  曲面部、２５  第１係合部、２５ａ  第１壁部、２６  板部、２７,２８  曲面部、２９  下側延出部、３１  第２係合部、３１ａ  第２壁部、３２  板部、３３，３４  曲面部、３５  下側延出部、４０  凹部、５０  軒樋、５１  第１樋要素、５２  第２樋要素、５６  軒樋継手、５７  外継手、５７ａ  前側突き出し部、５７ｂ  係止突部、５７ｃ  係止板部、５８  内継手、５８ａ  内継手本体、５８ｂ  押さえ板部、５８ｃ  傾斜板部、５８ｄ  突板部、５８ｅ  溝部、６０  軒樋支持具、６１  本体板部、６１ａ  後側係止部、６２  前側板部、６２ａ  前側係止部、７０  カバー継手、７１  板部、７２，７３  曲面部、７４  下側延出部。
【図１】
2019206826.tif 000003
【図２】
2019206826.tif 000004
【図３】
2019206826.tif 000005
【図４】
2019206826.tif 000006
【図５】
2019206826.tif 000007
【図６】
2019206826.tif 000008